【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
スプレーフォーム分配装置であって：
ポリウレタンフォーム又はポリウレタンフロスを合成するために使用する加圧化学薬品がその中に存在する容器、前記容器は更に少なくとも一つの加圧分配推進剤を含み；及び
プラスチック分配ストロー及びその少なくとも一部がプラスチックである金属ノズルから成る群から選ばれる分配導管、
但し、該分配導管がプラスチック分配ストローであるときは、該プラスチック分配ストローは該プラスチック分配ストローの中に少なくとも一つのサーモクロミック材料、又は該プラスチック分配ストローの上に取り付けられた若しくは印刷された少なくとも一つのサーモクロミック材料を含むか、又は少なくとも一つのサーモクロミックラベルがプラスチック分配ストローに取り付けられている、及び
該分配導管がその少なくとも一部がプラスチックである金属ノズルであるときは、該金属ノズルのプラスチック部分は該プラスチック部分の中に少なくとも一つのサーモクロミック材料、又は該プラスチック部分の上に取り付けられた若しくは印刷された少なくとも一つのサーモクロミック材料を含むか、又は少なくとも一つのサーモクロミックラベルがプラスチック部分に取り付けられている；及びさらに、
プラスチック分配ストロー又は分配導管のプラスチック部分のいずれかにおける少なくとも一つのサーモクロミック材料は、プラスチック分配ストロー又は分配導管のプラスチック部分から流出する加圧化学薬品の高流量又は合成フロスフォームの高流量または両者の温度を計測することにより、ポリウレタンフォーム又はポリウレタンフロスを調製するために用いられた加圧化学薬品及び推進剤が化学硬化に適当な最低温度である場合に、変色して、フォーム分配装置のエンドユーザーに表示し、かつ、
但し、少なくとも一つの加圧分配推進剤は、プラスチック分配ストロー又は分配導管のプラスチック部分のいずれかを移動する間に気体状態成分に変化し、かつ加圧化学薬品及び少なくとも一つの加圧分散推進剤の間の乱流を伴って環境中に放出される、
を含んでなる分配装置。
【請求項２】
前記分配装置が、ハウジングを含む二成分系のスプレーガンである請求項１に記載の分配装置であって：
前記ハウジングは、少なくとも一つの化学薬品をその中に含むそれぞれ「Ａ」及び「Ｂ」シリンダから「Ａ」及び「Ｂ」の可撓性プラスチックホースを挿入するため、前記ハウジングの最上部に傾斜した方位で位置する一対のインレット開口部を有し；
前記ハウジングは、前記ハウジング内に配設された計量バルブを有し；
前記ハウジングは、前記ハウジングの前部に取り付けられた取り外し可能なプラスチックスプレーノズルを有し、前記プラスチックスプレーノズルは、前記プラスチックノズル内に配設され、又はその上に取り付けられた少なくとも一つのサーモクロミック材料を含む；
前記分配装置。
【請求項３】
前記分配装置が、複数の化学薬品及び前記少なくとも一つの加圧分配推進剤を含む一成分系のスプレーキャニスタである請求項１に記載の分配装置であって：
単一のアウトレットバルブを有するキャニスタ、
但し、前記プラスチック分散ストローは、前記アウトレットバルブに取り付けられており、但し、前記プラスチック分散ストローは、前記プラスチック分散ストロー内に配設され、又はその上に取り付けられた少なくとも一つのサーモクロミック材料を含む；
を含む前記分配装置。
【請求項４】
分配装置が、複数の化学薬品を含む一成分系のスプレーキャニスタである請求項１に記載の分配装置であって：
単一のアウトレットバルブを有するキャニスタ；
ハウジングの最上部に取り付けられた前記キャニスタ用の一つのインレットを有するハウジング；
前記ハウジングは、前記ハウジング内に配設された計量バルブを有し；
前記ハウジングは、前記ハウジングの前部に取り付けられた、細長い金属スプレーノズルを有し、前記金属スプレーノズルは、金属スプレーノズルの長さに沿って位置するプラスチックインサート内に配設された、又は金属スプレーノズルのプラスチック先端内に配設された少なくとも一つのサーモクロミック材料を含む；
を含む前記分配装置。
【請求項５】
前記少なくとも一つのサーモクロミック材料が液晶又はロイコ染料である、請求項１に記載のスプレーガン。
【請求項６】
請求項１に記載のスプレーガンであって、
前記少なくとも一つのサーモクロミック材料は、前記ノズル内に、又はその上に配設された少なくとも二つのサーモクロミック材料であり、前記少なくとも二つのサーモクロミック材料のそれぞれは、異なった温度で色変化をもたらす、
前記スプレーガン。
【請求項７】
請求項６に記載のスプレーガンであって、
前記少なくとも一つのサーモクロミック材料が、前記ノズル内に、又はその上に配設される少なくとも三つのサーモクロミック材料であり、少なくとも三つの前記サーモクロミック材料のそれぞれは、異なった温度で色変化をもたらす、
前記スプレーガン。
【請求項８】
請求項２に記載のスプレーガンであって、
前記スプレーガンの前記ハウジングに取り付けられた少なくとも一つの前記「Ａ」及び「Ｂ」プラスチックホースは、前記少なくとも一つのプラスチックホース内に配設され、又はその上に取り付けられた少なくとも一つのサーモクロミック材料を含む、
前記スプレーガン。
【請求項９】
前記少なくとも一つのサーモクロミック材料は、液晶又はロイコ染料である、請求項８に記載のスプレーガン。
【請求項１０】
請求項８に記載のスプレーガンであって、
前記サーモクロミック材料は、前記少なくとも一つのサーモクロミック材料を含むラベルによって少なくとも一つの前記プラスチックホース上で取り付けられる、
前記スプレーガン。
【請求項１１】
請求項８に記載のスプレーガンであって、
前記少なくとも一つのサーモクロミック材料は、前記少なくとも一つのプラスチックホース内に、又はその上に配設される少なくとも二つのサーモクロミック材料であり、前記少なくとも二つのサーモクロミック材料のそれぞれは、異なった温度で色変化をもたらす、
前記スプレーガン。
【請求項１２】
請求項６に記載のスプレーガンであって、
前記少なくとも一つのサーモクロミック材料は、前記少なくとも一つのプラスチックホース内に、又はその上に配設された少なくとも三つのサーモクロミック材料であり、前記少なくとも三つのサーモクロミック材料のそれぞれは、異なった温度で色変化をもたらす、前記スプレーガン。
【請求項１３】
請求項１に記載のスプレーガンであって、
前記推進剤が、ＨＦＣ−２４５ｆａ、ＨＢＡ−２（ＳＯＬＳＴＩＣＥ（商標名）ＬＢＡ）、ＦＥＡ−１１００、ＡＦＡ−Ｌ１、ＡＦＡ−Ｌ２、混和性ブレンド物及びその共沸混合物から成るグループから選択され；そして更に
発泡剤は、１０〜４０℃の沸点を有する、
前記スプレーガン。
【請求項１４】
ポリウレタンフォーム又はポリウレタンフロスを作るために使用される加圧化学薬品及び推進剤が許容可能な使用温度範囲内か、又はそれ以上であるかを決定するための方法であって：
その中に含まれ、又はその上に取り付けられる少なくとも一つのサーモクロミック材料を含む、少なくともプラスチック部分を有する分配ノズルを有する分配装置を使用することを含む、
前記分配ノズルのプラスチック部分の少なくとも一つのサーモクロミック材料は、前記分配ノズルのプラスチック部分から流出する加圧化学薬品の高流量又は合成フロスフォームの高流量または両者の温度を計測することにより、ポリウレタンフォーム又はポリウレタンフロスを調製するために用いられた加圧化学薬品及び推進剤が化学硬化に適当な最低温度である場合に、変色して、分配装置のエンドユーザーに表示し、かつ
但し、少なくとも一つの加圧分配推進剤は、分配ノズルのプラスチック部分を移動する間に気体状態成分に変化し、かつ加圧化学薬品及び推進剤の間の乱流を伴って環境中に放出される、
前記方法。
【請求項１５】
請求項１４に記載の方法であって、更に：
その中に含まれ、又はその上に取り付けられる少なくとも一つのサーモクロミック材料を含む少なくとも一つの「Ａ」又は「Ｂ」のサイドホースを使用することを含む、
前記方法。
【請求項１６】
請求項１４に記載の方法であって、
前記ノズルは、取り外し可能プラスチックノズルであり；及び
前記少なくとも一つのサーモクロミック材料は、液晶又はロイコ染料である、
前記方法。
【請求項１７】
請求項１４に記載の方法であって、
前記ノズルは、プラスチックストローノズルであり；及び
前記少なくとも一つのサーモクロミック材料は、液晶又はロイコ染料である、
前記方法。
【請求項１８】
請求項１４に記載の方法であって、
前記ノズルは前記ハウジングの前部に取り付けられた細長い金属スプレーノズルであり、前記金属スプレーノズルは、金属スプレーノズルの長さ方向に沿って位置するプラスチックインサート内に配設され、又は金属スプレーノズルのプラスチック先端内に配設された少なくとも一つのサーモクロミック材料を含む、
前記方法。
【請求項１９】
化学薬品を、スプレーガンを介して分配する温度を決定するためにサーモクロミック染料を使用する方法であって：
ポリウレタンフォーム又はポリウレタンフロスを合成するために使用される加圧化学薬品がその中に存在する加圧容器からノズルを通して分配を作動させること、前記容器は、更に、少なくとも一つの加圧分配推進剤を含み；及び
分配導管を通して分配温度を監視すること、該導管は金属の少なくとも一部分及びプラスチックの少なくとも一部分を含み、分配導管は、導管のプラスチック部分内に配設され、又はプリントされた少なくとも一つのサーモクロミック材料を含み、
分配導管のプラスチック部分におけるサーモクロミック材料は、分配導管のプラスチック部分から流出する加圧化学薬品の高流量又は合成フロスフォームの高流量または両者の温度を計測することにより、ポリウレタンフォーム又はポリウレタンフロスを調製するために用いられた加圧化学薬品及び少なくとも一つの加圧分配推進剤が化学硬化に適当な最低温度である場合に、変色して、スプレーガンのエンドユーザーに表示し、かつ
但し、少なくとも一つの加圧分配推進剤は、分配導管を移動する間に気体状態成分に変化し、かつ加圧化学薬品、少なくとも一つの加圧分散推進剤及び合成ポリウレタンフロスの間の乱流を伴って環境中に放出される
前記方法。
【請求項２０】
請求項１９に記載の方法であって、加圧容器からノズルを通して分配を作動させる前記工程は二成分系フォームシステム及び一成分フォームシステムから成るグループから選択され；かつ更に、ここで
前記ノズルは、取り外し可能なプラスチック先端、プラスチックストロー、及びハウジングの前部に取り付けられた細長い金属スプレーノズルから成るグループから選択され；
前記ノズルは、取り外し可能なプラスチック先端、プラスチックストロー、若しくは金属スプレーノズルの長さに沿って位置するプラスチックインサート内に配設された、又は金属スプレーノズルのプラスチック先端内に配設された、又は金属スプレーノズルの上に取り付けられた少なくとも一つのサーモクロミック材料を含む、
前記方法。